(57)【要約】【課題】生体試料を高感度に検出し、かつ紫外線照射による試料へのダメージを最小限に抑制できる生体試料採取装置を実現させる。【解決手段】試料の撮影は紫外線照射を短時間利用することにより高感度に実行し、撮影によって得られた画像データを利用して試料に対して操作すべき位置を正確に把握できるシステムとすることで、その後の試料の採取など時間を要する操作は紫外線照射を行わずとも正確かつ簡便に実行できるようにする。【選択図】図２
2007256215.tif 000002
【特許請求の範囲】
【請求項１】
紫外線照射による試料の発光状態を撮影する手段と、撮影した写真を画像データとして表示する手段とを有する生体試料採取装置。
【請求項２】
前記表示された画像データ上に直線等の位置基準図形を描画する手段と、当該位置基準図形の位置を数値入力により定義する手段とを有する請求項１記載の生体試料採取装置。
【請求項３】
前記表示された画像データ上に直線等の処理基準図形を描画すると、前記位置基準図形の定義に基づき当該処理基準図形の位置を自動的に算出かつ表示することを特徴とする請求項２記載の生体試料採取装置。
【請求項４】
試料を切断するための切断補助具がスライド移動可能な状態で備え付けられていることを特徴とする請求項１乃至３記載の生体試料採取装置。
【請求項５】
前記切断補助具の位置を示す目盛および／または表示器を有する請求項４記載の生体試料採取装置。
【発明の詳細な説明】
【技術分野】
【０００１】
本発明は電気泳動後のゲル上のＤＮＡバンドや培地上の大腸菌コロニーなど、主に生体に由来する試料に対する処理法に関する。
【背景技術】
【０００２】
生命科学分野において、ＤＮＡやＲＮＡ、タンパク質などの生体分子や細胞を検出する方法として、紫外光照射による蛍光検出法が頻繁に利用されている。単に検出だけが目的である場合には、これらの試料へのダメージを考慮する必要がなく、短波長の紫外線や放射線などを利用した高感度な検出法が利用されることが多い。図１に、一般的な電気泳動検出法を示す。電気泳動により生体分子の混合物からなる試料は、分子サイズなどの物理特性の差異によって電気泳動ゲル１０１上に複数のバンド１０２として分離される。ただし分離されたバンド１０２はそのままでは目視できず、染色処理によって可視化される。通常は紫外線によって可視光を放出する染色剤をバンドに結合させ、紫外線照射装置１０３を用いて試料の発光を検出する。紫外光源としては通常水銀灯が使用されるが、紫外成分のみならず可視成分も含んでいるため、紫外透過可視光カットフィルタ１０４を用いて、紫外光源の紫外成分のみが試料に照射されるようになっている。紫外線の照射はスイッチ１０５によって実行されるが、スイッチ１０５は回転式になっており、照射する紫外線の強度を調整できるようになっている照射装置も実用化されている。
【０００３】
このようにして可視化された試料の分離パターンは、カメラスタンド１０６に接続されたカメラ１０７で撮影される。カメラ１０７としては従来はフィルムカメラを利用することが主流であったが、ＣＣＤイメージセンサーの高画素化の進展などにより、最近ではデジタルカメラを利用することが多くなりつつある。デジタルカメラであればケーブル１０８で直接コンピュータ１０９に接続して、画像をデジタルデータとして転送できるため、後の解析処理やデータの保存といった操作が容易に実行できるメリットがある。
【０００４】
また、生体由来の試料を検出した後、所望の部位を切り出して利用する場合も多い。例えば電気泳動によって分離されたＤＮＡバンドを切り出して遺伝子組み換えに利用したり、同じく分離されたタンパク質バンドを切り出して質量分析装置によってさらなる分析を進めるような場合である。一般的には、このような処理は手作業で行われる。すなわち、紫外線によって可視化（発光）している試料を切り出すために、まず紫外線から皮膚や目を保護するためのマスクや手袋などを装着し、カッターや定規を利用して、紫外線照射装置１０３の上でバンドを切り出すという手順を実行するのである。このような処理を自動化した装置も実用化されており、例として次のような特許文献を挙げることができる。
【０００５】
【特許文献１】特開２００５-１７２６２１
【特許文献２】特開２００５-０６９９０５
【発明の開示】
【発明が解決しようとする課題】
【０００６】
上記のように生体試料に紫外線のような短波長の光を照射する方法は、確かに検出感度に優れているものの、その反面で試料に与えるダメージも大きくなる。したがって、上記のように検出後に必要部位を切り出して、その試料を利用する目的がある場合には、できるかぎり試料にダメージを与えない方法を考慮しなければならない。紫外線は試料だけでなく人体にもダメージを与えるものであるから、人体への照射を避ける方法であることも必要である。
【０００７】
また、先に特許文献として挙げたような自動化された試料採取装置では、試料採取部が３次元的に移動できる機構になっている必要があり、非常に高価であるだけでなく、多数の採取希望箇所が存在する場合には処理に時間を要し、それだけ試料にダメージを与える可能性が高くなる。さらに、これらの装置では電気泳動ゲルなどの試料担体に対して開口したチップ状の試料採取器具を押し付ける方式になっているものも多いが、試料の分離状態は熱や拡散現象の影響により、必ずしも均一な形状で分布しているとは限らないため、一定形状のチップでは対応できないことも多い。複雑な形状の試料を切り出すためには、結果的には手作業で行った方が正確かつ素早く実行できる場合も多い。
【課題を解決するための手段】
【０００８】
まず紫外線のような短波長の光が試料にダメージを与える問題については、より長波長の光源を使用することが最善であるが、それでは感度が不足するため、必要な検出が実行できないというのが通常である。そこで本発明の生体試料採取装置は、紫外線に代わる光源を利用するのではなく、感度に優れた紫外線を検出に利用するものの、その照射量を最小限に抑制するという考え方に基づいたものとする。すなわち、試料の検出および撮影は紫外線を短時間照射することによって実行し、時間を要する試料の切り出し処理においては、紫外線を照射しないという方法を実現させる。
【０００９】
具体的には、図１のような構成により、まず試料に紫外線を照射して蛍光検出を行う。通常のデジタルカメラを用いて撮影すれば、紫外線の照射は数秒間で充分であるため、試料へのダメージは問題にならない。試料への紫外線照射は、この数秒間の撮影時のみとする。さらに、撮影した像をコンピュータに取り込み、ディスプレイに表示させる。デジタルカメラであれば、画像が既にデジタルデータ化されているため、コンピュータへの取り込みは瞬時に完了し、その間に試料の状態が変化することを回避できる。
【００１０】
上記のように取り込み表示された画像データは、画像の倍率が不明であるため、コンピュータ（システム）では正確な寸法を把握できていない。そこで、本発明の生体試料採取装置では、当該画像データ上に直線等の位置基準図形を描画できるようにしておく。この作業ではマウス等の入力デバイスによるクリック操作やドラッグ操作を行い、図形を描いたり位置を移動させたりすることが可能である。さらに、描いた位置基準図形に対して、その位置を数値入力によって定義することが可能である。ここで位置を定義することにより、コンピュータは画像上の実寸法を把握することが可能となる。通常、位置基準図形は二つ定義すれば充分である。
【００１１】
さらに、表示された画像データに対しては、実際に試料を切断等の処理を行いたい位置を明確にするために、処理基準図形を描画することも可能とする。処理基準図形には直線や長方形、多角形、楕円形等を利用することが可能であり、先に定義された位置基準図形を用いて、描画された処理基準図形の位置や寸法を自動的に算出する。算出と同時にその数値を画面上に表示することが望ましい。
【００１２】
前記の操作を実行すれば、試料に紫外線を照射せずとも、切断等の処理を行いたい位置が算出かつ表示されているため、処理を実行することが可能である。実際には、その数値に基づいて定規をあてるなどして処理を行うことは難しいため、定規の役割を果たす目盛も本発明の生体試料採取装置に備え付けられていることが望ましい。さらに、ナイフで試料を切断するのに適した板状あるいは棒状の切断補助具がスライド移動可能な状態で備え付けられていると、切断処理が容易に実行できる。この切断補助具にも目盛が付されていれば、さらに扱いやすい。
【００１３】
ここで重要なことは、この切断補助具の位置が把握できる状態になっているということである。例えば、切断補助具が前記目盛に取り付けられており、スライド移動させても目盛を読み取ることによって位置を容易に確認できる、あるいは、切断補助具に位置表示器が取り付けられており、移動とともに現在位置を変更して表示されるようになっていればよい。既に説明したように、画像上の位置を定義することによって、試料に処理を実行したい位置は画面上に表示されているので、切断補助具の位置（目盛や表示器から把握可能）を画面上の位置に合わせてから切断等の操作を行えば、実際に試料が目視できる状態で発光などしていなくとも、所望の試料部位を採取するといった処理を正確に実行することができる。すなわち、試料の撮影時以外には紫外線を照射する必要がないため、試料にダメージを与えることなく処理を完了させることが可能となる。
【発明の効果】
【００１４】
上記のように試料の撮影時のみ数秒間紫外線を照射し、その後の処理は取り込んだ画像データに基づいて、紫外線を照射せずとも容易に実行できる方式とすることにより、試料にダメージを与えることなく、蛍光を利用した高感度な試料検出と正確な試料採取が可能となる。画像データを取得した後は明るい白色光下でも処理を実行できるため、利用者にとっても作業しやすく安全性も高くなる。
【発明を実施するための最良の形態】
【００１５】
本発明の生体試料採取装置の具体例を図２に示す。紫外線照射装置の上面には、位置固定器具２０１が設置されている。これは通常２箇所または４箇所に設置されており、ここに切断補助プレート２０２をはめ込むと、その位置が固定されるようになっている。切断補助プレート２０２の中央部には試料設置穴２０３が開けられており、紫外線照射装置からの紫外線が透過するようになっている。この試料設置穴２０３にゲル２０４を設置すると、紫外光によってゲル上のバンドが発光するのであるが、後で述べるように、ゲル２０４の位置が撮影時と切り出し処理時とで変化してしまうと処理ができないため、試料固定プレート２０５を用いてゲルの位置も固定する。試料固定プレート２０５はゲルの形状に応じて複数用意されており、ゲル２０４とともに試料設置穴２０３に設置することにより、ゲル２０４は試料設置穴２０３の内部で位置が固定される。
【００１６】
さらに切断補助プレート２０２上には、目盛板２０６が固定されており、さらに目盛板２０６の上を図中のＹ方向にスライド移動できる位置表示器２０７が取り付けられている。位置表示器２０７には、さらに切断補助具２０８が取り付けられており、切断補助具２０８をスライドさせると、そのＹ方向での位置が位置表示器２０７に数値で表示される。位置表示器２０７にはリセットボタンも備えられており、切断補助具２０８を基準位置まで移動させたときにリセットボタンを押すと、その位置が原点（ゼロ点）となるように設定できるようになっているとよい。実際の切り出し処理においては、図２に描かれているようにゲルの周囲にも目盛が配置されている方が扱いやすい。なお、これらの目盛は白色光下で肉眼で見られるものであっても、紫外線照射によって目盛が発光するものであってもよく、これら両方の性質を有するものであってもよい。
【００１７】
図３は実際にゲルを設置した状態を示している。ゲル３０１は試料固定プレート３０２によって位置が固定され、切断処理の際にずれないようになっている。また、このゲルを撮影するためのカメラ３０３はカメラスタンド３０４に固定されている。カメラ３０３によって切断処理中の動画を撮影し、ゲル３０１の画像と重ね合わせることによって紫外線照射を行うことなく切断処理を行うような場合は、ゲル３０１とカメラ３０３との位置関係が変化することは許されない。したがって、カメラスタンド３０４は切断補助プレート３０５に固定されているか、紫外線照射装置を載せる台に固定されていることが望ましい。ただし後述するように、ゲル３０１の画像上に切断希望位置を設定し、その位置を読み取ることによって切断処理を行う場合には、ゲル撮影後のカメラの位置は関係ないので、この限りではない。なお、切断補助具はナイフで試料を切断する際のガイドになるものであるから、必ずしも固体である必要はなく、例えばレーザー光線などによって光学的にガイドラインが示されるものであってもよい。形状についても直線状であるとは限らず、円形に試料を切り出したい場合などでは、切り出し補助具もそれに適した形状となっていてもよい。また、紫外線照射装置の紫外線透過可視光カットフィルタは高価であり、切り出し操作によって表面を傷つけてしまうと損害が大きい。したがって、切断補助プレート３０５の裏面に紫外線透過性の樹脂やガラスを貼り付けた構造とし、切り出し時にナイフなどの先端がフィルタの表面に直接接触しない構造とする場合もある。
【００１８】
図４は、電気泳動後のゲルを試料とし、画像データとして取り込んだ状態を示している。画像上には、ゲル４０１上で発光するバンド４０２が写っている。本発明の生体試料採取装置でまず必要となる操作は、画像上の位置と寸法の定義である。前述したように、この操作は位置基準図形を描画することによって行われる。電気泳動ゲルが試料であれば、位置基準図形としては直線をマウス等で描画するのがよく、この例では基準線４０３を作成している。電気泳動ゲルの場合、実寸法がわかっていることが通常であるから、ゲルの上端と下端にそれぞれ基準線を合わせるとよい。次に、基準線４０３に対してその位置を数値入力によって定義する。これもコンピュータのソフトウェアとして用意されている機能である。図４では、上端を原点（Ｙ座標０）とし、下端にゲル寸法である６０．００という数値を位置基準値４０４として入力している。これにより、画像上の実寸法をコンピュータ（ソフトウェア）が認識することができるようになる。位置基準図形はこのように実寸法がわかっている試料に合わせる方法の他に、寸法が既知である物体を一緒に撮影して利用してもよく、図４のように目盛が一緒に撮影されていれば、これに位置基準図形を合わせてもよい。
【００１９】
ここまでの基本設定が完了したら、画像上で実際に切断などの処理を実行したい位置を指定する操作に移行する。図４の例では、バンド４０２を切り出すために、これを挟むように処理基準図形として二本の処理基準直線４０５を作成している。これもマウス等で簡単に描画できるようになっている。既に位置基準直線によって画像上の実寸法が判明しているので、本発明の生体試料採取装置のソフトウェアでは、処理基準図形が描画されると同時に処理基準図形位置４０６を算出し、画面上に表示する。ゲル４０１の位置は試料固定プレートによって固定されているので、実際に紫外線を照射してバンドを目視しなくとも、この数値に合わせて切断処理を行えば、所望のバンドを採取することができる。なお、切断したい箇所の数に応じて、処理基準図形も何本でも描画することが可能である。
【００２０】
図５は、実際に電気泳動ゲルを切り出す操作を示している。ゲル５０１上のバンド５０２は、紫外線照射装置を駆動すればいつでも目視できる状態であるものの、試料へのダメージを避けるため、実際には紫外線を照射せずに作業を行う。したがって、バンド５０２は目視できない状態であるが、先の操作により切断すべき位置は算出されているので、その数値に切断補助具５０６の位置を合わせればよい。ゲル５０１は試料固定プレート５０３によって固定されているので、ゲルを撮影した際との位置のずれはなく、目視できないことは問題にならない。本発明の生体試料採取装置では、目盛板５０４に位置表示器５０５がスライド移動可能な状態で取り付けられており、さらにこの位置表示器５０５に切断補助具５０６が取り付けられているので、構成としては切断補助具５０６はスライド移動が可能となっている。図４で説明したように、ゲルの上端の位置を０として定義した場合には、まず切断補助具５０６をゲルの上端に実際に合わせ、ここでリセットボタン５０７を押すと数値が０となる。これにより、実際の切断補助具５０６においてもゲルの上端での位置が０に設定されるので、画像データに対する設定と一致させることができる。この後は、先に算出した切断希望位置の数値と実際の切断補助具の位置の数値が一致するように切断補助具を移動させ、ナイフなどで切断すればよい。
【００２１】
なお、一般的なゲル切り出し操作では、紫外線の中でも波長の長いＵＶ−Ａ（波長３６０ｎｍ程度）が利用されることが多い。波長が長いほど検出感度は低く、肉眼でも確認しにくくなるが、生体試料へのダメージも非常に低くなるからである。本発明の生体試料採取装置では撮影時以外には紫外線を照射しないため、それほどダメージに気を遣う必要はないが、可能な限りダメージを与える可能性を低くしたい場合には、波長３５０ｎｍ以上の紫外線を利用してもよい。撮影時には感度が低くとも、撮影時間を長くすれば試料を明確に撮影することができるので、ダメージを与える可能性を限りなく低く抑えることが可能な上に、明確な画像データに基づいて切り出し操作を行うことも可能になる。
【実施例１】
【００２２】
本発明の生体試料採取装置は、図２のような構成を基本とする。試料が電気泳動用のゲル２０４である場合には、泳動方向の辺の長さが５０ｍｍ〜１５０ｍｍ、それと直行する辺の長さが５０ｍｍ〜１５０ｍｍの長方形のゲルを主な試料サイズとして想定する。したがって、試料固定プレート２０５も、このようなゲルを固定できるような切り欠き形状をもつものとする。また、試料としてシャーレ上の細胞や菌類といったものも想定されるので、試料固定プレート２０５は円形の穴が開けられた形状になっているものも存在する。この他、試料の形状に応じて長方形や円形の穴が複数開けられているものも利用しうる。また、図１０のように試料固定部品を用いる場合もある。図１０において、試料固定プレート１００１には、試料を固定するための穴１００２が空けられている。しかしながら電気泳動用ゲルのように柔軟な試料に対しては、穴に試料を設置するだけでは固定が不十分であり、実際に切断処理を行う際に移動してしまう可能性が高い。そのため、試料固定部品１００３を利用する。これは試料固定プレート１００１上で移動させ、かつ任意の位置で固定することが可能である。例えば試料固定プレート１００１をゴム磁石などの磁性体で形成し、試料固定部品１００３をこれに対して固定可能な磁性体や金属などで形成することにより、移動や固定が可能となる。重要なのは試料固定部品１００３を試料固定プレート１００１上の任意の位置で固定できるということであり、これにより試料のサイズや柔軟性に応じて適切な固定が可能になるのである。試料固定プレートの外形寸法は、紫外線の照射領域の寸法に依存するのが通常であるが、一辺が６０ｍｍ〜３００ｍｍ、他辺が６０ｍｍ〜４００ｍｍ程度のものが例示される。これに応じて目盛板２０６などが周囲に配置されるので、装置の外形としては横方向が１００ｍｍ〜４００ｍｍ、縦方向が１００ｍｍ〜３００ｍｍ程度となる。また、装置の高さは、紫外線照射装置部分が３０ｍｍ〜１５０ｍｍ、紫外線照射面（試料設置面）からカメラの先端までが１５０ｍｍ〜３００ｍｍ程度である。なお、暗室外での使用を可能とするために、紫外線照射面からカメラの先端までを遮光用の幕でカバーした構成を利用する場合もある。
【００２３】
さらに断面図を用いて構成を詳細に説明する。図６は図２のＸ方向に沿った断面図である。試料下方に設置された紫外線照射装置部のケース６０１には、紫外蛍光管６０２が収められている。紫外光源は、用途によっては発光ダイオードなどでもよい。ケース６０１の上面には開口部があり、そこに紫外線透過可視光カットフィルタ６０３が取り付けられている。このフィルタを通して紫外蛍光管に含まれる余分な可視光（波長４００ｎｍ以上）がカットされ、紫外成分のみが試料に照射される。さらにその上には紫外線透過板６０４が設置される場合もある。これは高価な紫外線透過可視光カットフィルタ６０３を切り出し操作などから保護するためのものであり、必ずしも存在しなければならないものではない。さらにこの上方に、切断補助プレート６０５が設置され、この内部に開けられた穴にゲル６０７を置き、さらに試料固定プレート６０６でこれを固定する。ゲル６０７の厚さは一定ではないので、図６のように切断補助プレート６０５や試料固定プレート６０６よりも上方に突出する場合もあるが、問題にはならない。さらに、切断補助プレート６０５には目盛板６０８が設置され、さらにこれに沿ってスライド移動できる位置表示器６０９が取り付けられており、切断補助具６１０は位置表示器６０９を基部とするように取り付けられることによって、スライド移動できるようになっている。図７は図２のＹ方向に沿った断面図であるが、目盛板７０１はコの字型になっており、これを抱え込む（内包する）ように取り付けられた位置表示器７０２が、これに沿ってスライド移動できる。
【実施例２】
【００２４】
装置基部８０１はこの紫外線照射ユニットの土台となる部分であり、装置が転倒しないように金属で作製して重量をもたせるか、裏面に吸盤を取り付けるといった工夫が必要となる。装置基部８０１には電源供給コード８０２を通じて電力が供給される。電源供給コード８０２は直接コンセントに接続されるものであっても、直流変換アダプタを用いるものであってもよく、これは装置基部８０１内に収められた光源点灯用基板８０３がどのような電力供給に対応しているかによって変化する。光源点灯用基板８０３はインバータ方式などの昇圧回路をもつものであるが、これを装置基部８０１内に収めることにより、装置基部８０１の重量を増す効果が得られるだけでなく、光源ユニット側を軽量化させ、手に持って使用する際に非常に扱いやすくなる効果も得られる。ただし、光源点灯には数百ボルトの高電圧が必要となるため、光源への電力供給コード８０４は、その高電圧に耐えうる安全性をもつものでなければならない。装置基部８０１にはスイッチ８０５が用意されており、これによって光源の点灯を切り替えることが可能であるが、このスイッチは光源ユニット側に用意されていてもよい。光源ユニットケース８０６の内部には蛍光管８０７が収められており、本発明の目的においては通常は紫外蛍光管が利用される。紫外蛍光管としては一般に使用されている消費電力６ワット〜８ワット程度のものが、照射強度と重量の点で都合がよいが、さらなる小型軽量化を目的として、直径１０ｍｍ以下の光源を使用する場合もある。光源ユニットには入力端子８０８に接続された電力供給コード８０４を通じて電力が供給され、これによって点灯した蛍光管８０７からの光線は、紫外線透過可視光カットフィルタ８０９によって紫外成分のみとなって試料に照射される。このフィルタの寸法によって照射面積が決定されることになるが、蛍光管に平行な辺が１００〜１５０ｍｍ、それと直行する辺が１５〜４０ｍｍ程度とすればよい。光源ユニットケース８０６の背面（紫外線放出面の反対に位置する面）には取っ手８１０も取り付けられ、手に紫外線が照射されないようになっている。
【００２５】
さらに、このような上方からの紫外線照射においては、紫外光源を固定して使用したい場合が多い。そこで図８の紫外線照射ユニットの装置基部８０１には、アーム８１１を取り付け、さらにその先端に光源ユニットケース８０６を取り付けられるようにする。アーム８１１は手の力で自在に変形させることができ、かつその状態を保持できるものが望ましい。アーム内部の空洞に電力供給コード８０４を通してもよいが、その場合にはアームの形状によって光源ユニットを動かす自由度が低くなるため、基本的には図８のように別々になっている方がよい。光源ユニットケース８０６の取り付けは、できる限り簡便に行われるのがよく、例えば図８のように接続基部８１２に設置されたクリップ８１３で挟むような方式が好ましい。図９は光源ユニットケースを図８の右方向から見た場合の図である。光源ユニットケース９０１をクリップ９０２で挟むことによって位置を固定するが、図９のように光源ユニットケース９０１の断面が円形であると、クリップ９０２で挟んだ後でも照射角度の調整ができ、都合がよい。
【００２６】
以上の特徴をまとめておく。まず第一に、変形可能なアームに紫外光源部を着脱することが可能になっている。着脱方式としては、クリップなどで挟むような簡単な構造がよい。第二に、紫外光源部には蛍光管と紫外線透過可視光カットフィルタを収納し、光源点灯用の回路は装置基部側に収納することにより、紫外光源部を軽量化する。第三に、装置基部内の光源点灯用回路からの電力を紫外光源部に供給するコードとアームは一体化させないことにより、紫外光源部を手に持って使用するときの自由度を高める。これらのような特徴を備えることにより、必要に応じて紫外光源を固定する、取り外して手に持って使用する、というような操作を簡便に実行することができる。また、手に持つ部分には点灯用回路などを含まず、光源とフィルタのみを収納することにより非常に軽量化され、長時間使用しても疲労しにくいというメリットが得られる。
【産業上の利用可能性】
【００２７】
本発明の生体試料採取装置は、主に電気泳動法などによって分離されたＤＮＡ、ＲＮＡ、タンパク質などの生体分子や、培地上に繁殖させた大腸菌などの生物を、ダメージを与えることなく採取するための装置であって、遺伝子組み換え操作や菌類を利用したタンパク質の生産などに利用することが可能である。
【図面の簡単な説明】
【００２８】
【図１】一般的な電気泳動検出法を示す図
【図２】本発明の生体試料採取装置の外観を示す図
【図３】本発明の生体試料採取装置の外観を示す図
【図４】本発明の生体試料採取装置で画像データに設定を行う様子を示す図
【図５】本発明の生体試料採取装置で電気泳動ゲルの切断操作を行う様子を示す図
【図６】本発明の生体試料採取装置の横断面図を示す図
【図７】本発明の生体試料採取装置の横断面図を示す図
【図８】本発明の生体試料採取装置の紫外線照射ユニットの一例を示す図
【図９】本発明の生体試料採取装置の紫外線照射ユニットの一例を示す図
【図１０】本発明の生体試料採取装置の一部品を示す図
【符号の説明】
【００２９】
１０１  電気泳動ゲル
１０２  バンド
１０３  紫外線照射装置
１０４  紫外線透過可視光カットフィルタ
１０５  スイッチ
１０６  カメラスタンド
１０７  カメラ
１０８  ケーブル
１０９  コンピュータ
２０１  位置固定器具
２０２  切断補助プレート
２０３  試料設置穴
２０４  ゲル
２０５  試料固定プレート
２０６  目盛板
２０７  位置表示器
２０８  切断補助具
３０１  ゲル
３０２  試料固定プレート
３０３  カメラ
３０４  カメラスタンド
３０５  切断補助プレート
４０１  ゲル
４０２  バンド
４０３  基準線
４０４  位置基準値
４０５  処理基準直線
４０６  処理基準図形位置
５０１  ゲル
５０２  バンド
５０３  試料固定プレート
５０４  目盛板
５０５  位置表示器
５０６  切断補助具
５０７  リセットボタン
６０１  ケース
６０２  紫外蛍光管
６０３  紫外線透過可視光カットフィルタ
６０４  紫外線透過板
６０５  切断補助プレート
６０６  試料固定プレート
６０７  ゲル
６０８  目盛板
６０９  位置表示器
６１０  切断補助具
７０１  目盛板
７０２  位置表示器
８０１  装置基部
８０２  電源供給コード
８０３  光源点灯用基板
８０４  電力供給コード
８０５  スイッチ
８０６  光源ユニットケース
８０７  蛍光管
８０８  入力端子
８０９  紫外線透過可視光カットフィルタ
８１０  取っ手
８１１  アーム
８１２  接続基部
８１３  クリップ
９０１  光源ユニットケース
９０２  クリップ
１００１  試料固定プレート
１００２  試料設置穴
１００３  試料固定部品
【図１】
2007256215.tif 000003
【図２】
2007256215.tif 000004
【図３】
2007256215.tif 000005
【図４】
2007256215.tif 000006
【図５】
2007256215.tif 000007
【図６】
2007256215.tif 000008
【図７】
2007256215.tif 000009
【図８】
2007256215.tif 000010
【図９】
2007256215.tif 000011
【図１０】
2007256215.tif 000012